(57)【要約】【課題】加湿器を使用している時には、加湿器本来の機能と他の機能とを併用して使用することは勿論のこと、加湿器を使用しない時でも、他の機能、例えば、家具や装飾品、置物等として十分に使用することが出来る加湿器を提供する。【解決手段】この加湿器は、ヒータ等の加熱機器類やスイッチ機器類を組み込んだ加湿器本体１と、この加湿器本体１に着脱可能に装着される給水タンク２とにより構成され、この給水タンク２は、底面側中央に把手３を設けると共に、底面側部には、バルブ機構４ａを備えたキャップ４を介して開閉する給水口５が形成されている。給水タンク２は、ポリスチレン（ＰＳ），ポリカーボネート等の透明樹脂材から成る断面凹状の外郭部材２ａ，２ｂと、前記把手３及び給水口５を設けた底面部材２ｃとにより中空箱状に形成され、この中空箱状の外郭部材２ａ，２ｂの厚さ方向の中央内部には、表裏面を鏡面Ｘに形成した鏡仕切り板２１が鉛直向きに配設され、そしてこの鏡仕切り板２１を介して外郭部材２ａ，２ｂ内を連通可能な複数のタンク室２１ａ，２１ｂに区画形成してある。【選択図】  図１
2005156020.tif 000002
【特許請求の範囲】
【請求項１】
加湿器本体と、該加湿器本体の嵌合凹部に着脱可能に装着される給水口を備えたる給水タンクとで構成して成る加湿器であって、
前記給水タンクは、透明樹脂材から成る外郭部材により中空箱状に形成し、この中空箱状の内部に、表裏面を鏡面に形成した鏡仕切り板を介して連通可能な複数のタンク室を区画形成したことを特徴とする加湿器。
【請求項２】
前記加湿器本体の嵌合部に装着する給水タンクの装着部の底面に、給水口と把手とを取付けた請求項１に記載の加湿器。
【請求項３】
前記鏡仕切り板は、樹脂板の表裏面に電気メッキを施して鏡面を形成した板状体を前記外郭部材内の厚さ方向の中央部に配設した請求項１または２に記載の加湿器。
【請求項４】
前記外郭部材の内周面と鏡仕切り板との外周縁部とを、紫外線硬化型接着剤または超音波接着法により接着した請求項１，２または３に記載の加湿器。
【請求項５】
前記加湿器本体と給水タンクとの嵌合部の一部に、鏡仕切り板の鏡面に向かって発光する光源を設けた請求項１，２，３または４に記載の加湿器。
【請求項６】
前記鏡仕切り板の鏡面に、外郭部材の外部から視認できる情報表示手段または図形，文字表示手段を設けた請求項１，２，３，４または５に記載の加湿器。
【発明の詳細な説明】
【技術分野】
【０００１】
この発明は、給水タンク内に鏡仕切り板を内装した加湿器に係わり、更に詳しくは家庭や会社等において、卓上や机上に載置することにより、加湿機能に加えて、間仕切りや化粧見として利用出来、更に装飾用としても利用することが出来る加湿器に関するものである。
【背景技術】
【０００２】
一般に冬の乾燥している時期等に家庭や会社内等の室内で使用される加湿器は、風邪等の予防や健康維持のために室内の空気に湿気をもたらすために使用され、その種類としては、超音波式の加湿器や、水を加熱して霧状にして放出させる電気スチーム式の加湿器が知られている。
【０００３】
電気スチーム式の加湿器の一般的な構成としては、ヒータ等の加熱機器類やスイッチ機器類を組み込んだ加湿器本体と、この加湿器本体に着脱可能に装着される給水タンクとにより構成され、給水タンクに収容した水を加湿器本体に順次供給して加熱することで霧状になった蒸気を大気中に放出させるように構成されている（例えば、特許文献１参照）。      
【０００４】
ところで、上記のような加湿器は、霧状となった蒸気等を大気中に放出させる機能のみを有し、その他の機能やデザイン等が工夫されていないのが一般的である。このため、加湿器を使用しない場合には、邪魔になったり、取り扱いが不便であったり、また置物や装飾品として使用することが出来ないと言う問題があった。
【特許文献１】特開平４−２６８１４４号公報
【発明の開示】
【発明が解決しようとする課題】
【０００５】
この発明はかかる従来の問題点に着目し、加湿器に他の機能を具備させることで、加湿器を使用している時には、加湿器本来の機能と他の機能とを併用して使用することは勿論のこと、加湿器を使用しない時でも、他の機能、例えば、家具や装飾品、置物等として十分に使用することが出来る加湿器を提供することを目的とするものである。
【課題を解決するための手段】
【０００６】
この発明は上記目的を達成するため、加湿器本体と、該加湿器本体の嵌合凹部に着脱可能に装着される給水口を備えたる給水タンクとで構成して成る加湿器であって、前記給水タンクは、透明樹脂材から成る外郭部材により中空箱状に形成し、この中空箱状の内部に、表裏面を鏡面に形成した鏡仕切り板を介して連通可能な複数のタンク室を区画形成したことを要旨とするものである。
【０００７】
ここで、前記加湿器本体の嵌合部に装着する給水タンクの装着部の底面に、給水口と把手とを取付けて構成し、また前記鏡仕切り板は、樹脂板の表裏面に電気メッキを施して鏡面を形成した板状体を前記外郭部材内の厚さ方向の中央部に配設するものである。
【０００８】
また、前記外郭部材の内周面と鏡仕切り板との外周縁部とを紫外線硬化型接着剤または超音波接着法により接着するものである。
【０００９】
更に、前記加湿器本体と給水タンクとの嵌合部に、鏡仕切り板の鏡面に向かって発光する光源を設けて夜間の表示灯としたり、装飾灯とすることも可能であり、また前記鏡仕切り板の鏡面に、外郭部材の外部から視認できる時計，温度計，カレンダー等の情報表示手段またはマンガや景色等の図形，更に文字表示手段を設けることも可能である。
【００１０】
このように、給水タンクは、透明樹脂材から成る外郭部材により中空箱状に形成し、この中空箱状の中央内部に、表裏面を鏡面に形成した鏡仕切り板を介して連通可能な複数のタンク室を区画形成したので、卓上や机上に載置して加湿器として使用している時には、加湿器の機能と、加湿機能に加えて、間仕切りや化粧見として利用出来、更にタンクの外郭部材が透明であるので、タンク内の水の量を鏡に反射して目視出来る上、また給水時の泡等が装飾用としても利用することが出来、従って、加湿器を使用しない時でも、他のデザイン機能を有効に利用出来るものである。
【発明の効果】
【００１１】
この発明は、上記のように加湿器本体と、該加湿器本体の嵌合凹部に着脱可能に装着される給水口を備えたる給水タンクとで構成して成る加湿器であって、前記給水タンクは、透明樹脂材から成る外郭部材により中空箱状に形成し、この中空箱状の内部に、表裏面を鏡面に形成した鏡仕切り板を介して連通可能な複数のタンク室を区画形成したので、加湿器を使用している時には、加湿器の本来の機能と他の機能とを併用して使用することは勿論のこと、加湿器を使用しない時でも、他の家具や置物として、またデザイン機能を十分に使用することが出来る効果がある。
【００１２】
例えば、卓上や机上に載置して加湿器として使用している時には、加湿器本来の機能と、加湿本来の機能に加えて、間仕切りや化粧見等の家具として利用出来、更にタンクの外郭部材が透明であるので、タンク内の水の量を鏡に反射して目視出来、また水槽としてや、給水時の泡等が装飾用としても利用することが出来、従って、加湿器を使用しない時でも、他の家具類や置物類として、また装飾デザイン機能を十分に使用することが出来る効果がある。
【発明を実施するための最良の形態】
【００１３】
以下、添付図面に基づき、この発明の実施形態を説明する。
【００１４】
図１は、この発明を実施した電気スチーム式の加湿器全体の斜視図を示し、この加湿器は、図示しないヒータ等の加熱機器類やスイッチ機器類を組み込んだ加湿器本体１と、この加湿器本体１に着脱可能に装着される給水タンク２とにより構成され、この給水タンク２は、図２及び図３に示すように、底面側中央に把手３を設けると共に、底面側部には、バルブ機構４ａを備えたキャップ４を介して開閉する給水口５が形成されている。
【００１５】
また、前記加湿器本体１は、給水タンク２の設置側の嵌合凹部１４に、フード６及び仕切りプレート７が着脱可能に取付けられ、加湿器本体１の前面側には、蒸気吹き出し口８と、イオン吹き出し口９及び加湿量切り換えスイッチ１０と、イオンスイッチ１１とが設けられ、更に上面側部には、電源用スイッチ１２が設けられている。
【００１６】
なお、１３は運転／給水ランプ、１５はイオン運転ランプ、１６は加湿器本体１の嵌合凹部１４内に設けた加熱皿１７内に配設するクリーニングフィルターを示し、更に１８は加湿器使用時に点灯する着色されたＬＥＤランプ、１９はフロート、２０は水路を示している。
【００１７】
前記給水タンク２は、図２〜図４に示すように、ポリスチレン（ＰＳ），ポリカーボネート等の透明樹脂材から成る断面凹状の外郭部材２ａ，２ｂと、前記把手３及び給水口５を設けた底面部材２ｃとにより中空箱状に形成され、この中空箱状の外郭部材２ａ，２ｂの厚さ方向の中央内部には、表裏面を鏡面Ｘに形成した鏡仕切り板２１が鉛直向きに配設され、そしてこの鏡仕切り板２１を介して外郭部材２ａ，２ｂ内を連通可能な複数のタンク室２１ａ，２１ｂ（この実施形態では鏡仕切り板２１を介して前後２室であるが、特に区画する室の数は限定されない）に区画形成してある。
【００１８】
なお、タンク室２１ａ，２１ｂの連通部は、鏡仕切り板２１の下部側と加湿器本体１の嵌合凹部１４に形成してある。
【００１９】
前記鏡仕切り板２１は、図４の断面図に示すように、ＡＢＳ（アクリロ  ニトリルブタジエンスチレン）樹脂等の樹脂板２２の表裏面に公知の電気メッキ法により、鏡面Ｘが形成してあり、このようなＡＢＳ樹脂の電気メッキ法は、一般に前処理工程，無電解メッキ工程，電気メッキ工程の３工程からなっている。
【００２０】
また、このような鏡仕切り板２１の外周縁部と、上記の透明な樹脂材料から成る外郭部材２ａ，２ｂとの接合部の接着方法としては、接着部が白濁化して外観を損なわなく、確実に接着出来るように、この発明の実施形態では、紫外線硬化型接着剤を使用している。なお、その他に、超音波接着法により接着することも可能である。
【００２１】
また、前記鏡仕切り板２１の鏡面Ｘの一部に、図１に示すように、外郭部材２ａ，２ｂの外部から視認できる時計や温度計，カレンダー等の情報表示手段２３を設けることも可能であり、またその他としては、図形，文字表示手段を設けることも可能である。
【００２２】
次に、給水タンク２の底面側と加湿器本体１の嵌合凹部１４との具体的な構成を、図５〜図８及び図９〜図１３を参照しながら説明する。
【００２３】
この発明の実施形態では、加湿器本体１の嵌合凹部１４に着脱可能に設置する給水タンク２は、上述したように、立方体状に形成されたものを着脱可能に設置するため、加湿器本体１に対して給水タンク２が簡単に倒れたり、傾くのを防止するために、倒れ防止手段が設けてある。
【００２４】
即ち、この倒れ防止手段としては、給水タンク２を構成する底面部材２ｃの略中央に給水タンク２を持ち運ぶための把手３と、給水口５とが一体的に形成してあり、一方、加湿器本体１の嵌合凹部１４に設けた前記仕切りプレート７には、把手３及びバルブ機構４ａを備えたキャップ４が嵌合すると共に係合する連続した切欠部２４ａ，２４ｂが形成してある。
【００２５】
この連続した切欠部２４ａ，２４ｂは、断面凹状に形成された仕切りプレート７の底面に、把手３とキャップ４との形状が一致する貫通部と、把手３とキャップ４とが係合するようなフランジ部２５が下方に向かって形成してあり、給水タンク２を構成する底面部材２ｃを下向きに嵌合した際に、この給水タンク２を垂直向きに保持すると共に、倒れを防止するようになっている。
【００２６】
特に、給水タンク２を積極的に外観意匠として見せる加湿器においては、給水タンク２は加湿器本体１の嵌合凹部１４に載置するだけの構造となるため、給水タンク２を容易に倒れない支持構造とする必要がある。また給水タンク２と加湿器本体１の嵌合凹部１４との嵌合深さを大きくとれば、給水タンク２は倒れ難くなるが、加湿器全体の大きさは、前記嵌合深さを大きくすればする程大きくなってしまうため、上記のような構造にすることが望ましいのである。
【００２７】
なお、上述した倒れ防止手段は、仕切りプレート７に設けた切欠部２４ａ，２４ｂに対して把手３及びキャップ４の両方が必ず係合する必要はなく、係合状態が強固のものであれば、把手３とキャップ４との一方が係合すれば良い。また、把手３及びキャップ４が係合する部位としては、上記の実施形態のように仕切りプレート７に切欠部２４ａ，２４ｂを設ける必要はなく、加湿器本体１から把手３及びキャップ４が係合するような係合部を一体的に設けることも可能である。
【００２８】
この発明では、上記のように給水タンク２は、透明樹脂材から成る外郭部材２ａ，２ｂにより中空箱状に形成し、この中空箱状の内部に、表裏面を鏡面Ｘに形成した鏡仕切り板２１を介して連通可能な複数のタンク室２１ａ，２１ｂを区画形成したので、加湿器を使用している時には、加湿器の本来の機能と他の機能とを併用して使用することは勿論のこと、加湿器を使用しない時でも、他の家具や置物として、またデザイン機能を十分に使用することが出来る。
【図面の簡単な説明】
【００２９】
【図１】この発明を実施した電気スチーム式の加湿器全体の斜視図である。
【図２】この発明の加湿器全体の分解斜視図である。
【図３】給水タンクの分解斜視図と仕切りプレートの斜視図である。
【図４】図２のＡ−Ａ矢視拡大断面図である。
【図５】給水タンクの底面部材を内側から見た正面図である。
【図６】給水タンクの底面部材の外側から見た正面図である。
【図７】図５のＢ−Ｂ矢視断面図である。
【図８】図５のＣ−Ｃ矢視断面図である。
【図９】加湿器本体に取付けられる仕切りプレートの内側から見た正面図である。
【図１０】加湿器本体に取付けられる仕切りプレートの外側から見た正面図である。
【図１１】図９のＤ−Ｄ矢視断面図である。
【図１２】図９のＥ−Ｅ矢大断面図である。
【図１３】図９のＦ−Ｆ矢大断面図である。
【符号の説明】
【００３０】
１  加湿器本体                    ２  給水タンク
２ａ，２ｂ  外郭部材            ２ｃ  底面部材
３  把手                          ４  キャップ
４ａ  バルブ機構                    ５  給水口
６  フード                        ７  仕切りプレート
８  蒸気吹き出し口                ９  イオン吹き出し口
１０  加湿量切り換えスイッチ      １１  イオンスイッチ
１２  電源用スイッチ              １３  運転／給水ランプ
１４  嵌合凹部                    １５  イオン運転ランプ
１６  クリーニングフィルター      １７  加熱皿
１８  ＬＥＤランプ                １９  フロート
２０  水路                        ２１  鏡仕切り板
２２  樹脂板                      ２３  情報表示手段
２４ａ，２４ｂ  切欠部            ２５  フランジ部
Ｘ  鏡面                          Ｇ  接合部
【図１】
2005156020.tif 000003
【図２】
2005156020.tif 000004
【図３】
2005156020.tif 000005
【図４】
2005156020.tif 000006
【図５】
2005156020.tif 000007
【図６】
2005156020.tif 000008
【図７】
2005156020.tif 000009
【図８】
2005156020.tif 000010
【図９】
2005156020.tif 000011
【図１０】
2005156020.tif 000012
【図１１】
2005156020.tif 000013
【図１２】
2005156020.tif 000014
【図１３】
2005156020.tif 000015